(57)【要約】【課題】オペレータにフィッティングを行う際の指針を示しつつ、フィッティングの結果に対するユーザーの納得性を高める。【解決手段】ゴルフクラブのフィッティング補助装置が提供される。同装置は、ディスプレイ及び制御部を備える。制御部は、ゴルファーの特徴を分類する複数のゴルファー分類の中から、ユーザーの特徴に合致するユーザー分類の選択を受け付ける画面を作成し、オペレータに向けてディスプレイ上に表示させる。また、制御部は、ゴルフクラブの特徴を分類する複数のクラブ分類の中から、ユーザーに推奨されるべき推奨クラブの特徴を表す推奨クラブ分類の選択を受け付ける画面を作成し、オペレータに向けてディスプレイ上に表示させる。制御部は、ユーザー分類を理由とし、推奨クラブ分類を結果として、これらの分類とを関連付ける原因結果情報を作成し、原因結果情報を出力する。【選択図】図１
2020065800.tif 000002
【特許請求の範囲】
【請求項１】
オペレータがユーザーに適したゴルフクラブである推奨クラブをフィッティングするのを補助するフィッティング補助装置であって、
ディスプレイと、
前記ディスプレイに接続される制御部と
を備え、
前記制御部は、
ゴルファーの特徴を分類する複数のゴルファー分類の中から、前記ユーザーの特徴に合致する分類であるユーザー分類の選択を受け付ける第１選択画面を作成し、前記オペレータに向けて前記ディスプレイ上に表示させる第１選択部と、
ゴルフクラブの特徴を分類する複数のクラブ分類の中から、前記ユーザーに推奨されるべき前記推奨クラブの特徴を表す分類である推奨クラブ分類の選択を受け付ける第２選択画面を作成し、前記オペレータに向けて前記ディスプレイ上に表示させる第２選択部と、
前記第１選択画面を介して選択された前記ユーザー分類を理由とし、前記第２選択画面を介して選択された前記推奨クラブ分類を結果として、前記ユーザー分類と前記推奨クラブ分類とを関連付ける原因結果情報を作成し、前記原因結果情報を出力する提示部と
を含む、フィッティング補助装置。
【請求項２】
前記提示部は、前記原因結果情報として、前記ユーザー分類を理由とし、前記推奨クラブ分類を結果とするセンテンスを作成する、
請求項１に記載のフィッティング補助装置。
【請求項３】
前記原因結果情報は、前記ディスプレイ又は別のディスプレイ上に出力される、
請求項１又は２に記載のフィッティング補助装置。
【請求項４】
前記複数のゴルファー分類を階層的に整理したゴルファー分類階層情報を記憶する記憶部
をさらに備え、
前記第１選択部は、前記ゴルファー分類階層情報を参照して、前記第１選択画面上において複数の第１分類を表示し、前記複数の第１分類の中から特定の第１分類の選択を受け付け、前記特定の第１分類が選択されると、前記特定の第１分類に属する複数の第２分類を表示し、前記複数の第２分類の中から特定の第２分類の選択を受け付ける、
請求項１から３のいずれかに記載のフィッティング補助装置。
【請求項５】
前記複数のゴルファー分類は、前記ゴルファーがショットを行うときの前記ゴルファーの挙動、ゴルフクラブの挙動及びゴルフボールの挙動、前記ゴルファーが現在使用しているゴルフクラブの属性、前記ゴルファーの練習量、並びに前記ゴルファーの好みの少なくとも１つを表す分類を含む、
請求項１から４のいずれかに記載のフィッティング補助装置。
【請求項６】
前記複数のクラブ分類は、ゴルフクラブの属性、ヘッドの属性、シャフトの属性及びグリップの属性の少なくとも１つを表す分類を含む、
請求項１から５のいずれかに記載のフィッティング補助装置。
【請求項７】
前記制御部は、
前記ユーザーに対する複数の問診項目を表示するとともに、前記複数の問診項目のそれぞれに対する回答の入力を受け付ける問診画面を作成し、前記ユーザーに向けて前記ディスプレイ上に表示させる問診部
をさらに備え、
前記提示部は、前記問診画面を介して入力された前記複数の問診項目のそれぞれに対する前記回答をまとめて表示する問診結果画面を作成し、前記オペレータに向けて前記ディスプレイ上に表示させる、
請求項１から６のいずれかに記載のフィッティング補助装置。
【請求項８】
前記複数の問診項目は、前記ユーザーの年齢、性別、探しているゴルフクラブの種類、ゴルフ歴、ラウンド数、練習量、平均スコア、ベストスコア、ベストスコアの更新年、弾道に関する自己評価、現在使用しているゴルフクラブに関する悩み、及び現在使用しているゴルフクラブのモデルの少なくとも１つに関する項目を含む、
請求項７に記載のフィッティング補助装置。
【請求項９】
オペレータがユーザーに適したゴルフクラブである推奨クラブをフィッティングするのを補助するフィッティング補助プログラムであって、ディスプレイに接続されるコンピュータに、
ゴルファーの特徴を分類する複数のゴルファー分類の中から、前記ユーザーの特徴に合致する分類であるユーザー分類の選択を受け付ける第１選択画面を作成し、前記第１選択画面を前記オペレータに向けて前記ディスプレイ上に表示させるステップと、
ゴルフクラブの特徴を分類する複数のクラブ分類の中から、前記ユーザーに推奨されるべき前記推奨クラブの特徴を表す分類である推奨クラブ分類の選択を受け付ける第２選択画面を作成し、前記第２選択画面を前記オペレータに向けて前記ディスプレイ上に表示させるステップと、
前記第１選択画面を介して選択された前記ユーザー分類を理由とし、前記第２選択画面を介して選択された前記推奨クラブ分類を結果として、前記ユーザー分類と前記推奨クラブ分類とを関連付ける原因結果情報を作成し、前記原因結果情報を出力するステップと
を実行させる、フィッティング補助プログラム。
【請求項１０】
オペレータがユーザーに適したゴルフクラブである推奨クラブをフィッティングするフィッティング方法であって、
請求項１から８のいずれかに記載のフィッティング補助装置を用意するステップと、
前記オペレータが、前記ディスプレイ上に表示される前記第１選択画面を介して、前記ユーザー分類を入力するステップと、
前記オペレータが、前記ディスプレイ上に表示される前記第２選択画面を介して、前記推奨クラブ分類を入力するステップと、
前記オペレータが、前記出力された原因結果情報を前記ユーザーに提示するステップと、
を含む、フィッティング方法。
【発明の詳細な説明】
【技術分野】
【０００１】
本発明は、ゴルフクラブのフィッティング補助装置、フィッティング補助プログラム及びフィッティング方法に関する。
【背景技術】
【０００２】
ゴルフ用品の販売店やゴルフスクール等においては、ユーザーにゴルフクラブを試打させ、フィッターと呼ばれる専門のスタッフ（以下、オペレータという）がこのときのショットを観察し、ユーザーに適したゴルフクラブ（以下、推奨クラブという）を選択すること（所謂、フィッティング）が行われている。こうしたフィッティングの場面では、特許文献１のように、ユーザーのショットをカメラ等の計測装置により計測し、このときの計測データに基づきコンピュータがユーザーのショットを解析した結果が参照されることもしばしばある。
【０００３】
コンピュータによる解析の結果が利用される場合においても、無人化されたシステムによりフィッティングが行われるのではなく、一般的には、依然としてオペレータがユーザーに付き添い、推奨クラブが決定される。このような場面では、オペレータは、自身の知識及び経験に基づいて、ユーザーのショットの様々な点を観察する。そして、オペレータは、最終的に決定した推奨クラブのモデルを診断表に書き込み、これをユーザーに手渡して、フィッティングが完了する。オペレータは、診断表の自由記述欄等に、任意でユーザーのショットを観察したときの所見を書き込むこともある。
【先行技術文献】
【特許文献】
【０００４】
【特許文献１】特開２０１５−０７７２４６号公報
【発明の概要】
【発明が解決しようとする課題】
【０００５】
以上のような従来のフィッティングの場面では、オペレータは、推奨クラブを具体的に特定してユーザーに提案することはできるものの、なぜその推奨クラブを選択したのかをユーザーに明確に伝えることができていない。診断表に書き込まれる所見は、所詮任意であって書き込まれるとは限らないし、書き込まれたとしても自由記述形式であるため、その内容が推奨クラブを選択した理由に関するものであるとは限らない。また、仮に推奨クラブを選択した理由について何らかのコメントが書き込まれたとしても、書き込みの内容が推奨クラブを選択した理由であるとユーザーが理解できるとは限らない。例えば、オペレータが、ユーザーのショットに関し、「スイング中のローテーションが多い」「ヘッド速度が５０ｍ／ｓ以上ある」ことを確認し、これらの理由からシャフトの重量が７０ｇ台で、ヘッドが重めのドライバーを選択したとする。このとき、所見として、「スイング中のローテーションが多い」「ヘッド速度が５０ｍ／ｓ以上ある」と記載されているだけでは、ユーザーには、同記載と推奨クラブが選択されたこととの因果関係が不明である。これでは、オペレータがユーザーに最適なゴルフクラブを選択することができていたとしても、フィッティングの結果に対するユーザーの納得性を高めることができない。
【０００６】
また、上記のとおりの従来のフィッティング方法では、オペレータが推奨クラブを決定する理由も、オペレータによりまちまちである。つまり、経験の浅いオペレータには、ユーザーのどのような特徴に注目してフィッティングを行えばよいかの指針が与えられず、ユーザーに最適なゴルフクラブを選択することが難しい。
【０００７】
本発明は、オペレータにフィッティングを行う際の指針を示すことができるとともに、フィッティングの結果に対するユーザーの納得性を高めることができるゴルフクラブのフィッティング補助装置、フィッティング補助プログラム及びフィッティング方法を提供することを目的とする。
【課題を解決するための手段】
【０００８】
第１観点に係るフィッティング補助装置は、オペレータがユーザーに適したゴルフクラブである推奨クラブをフィッティングするのを補助するフィッティング補助装置であって、ディスプレイと、前記ディスプレイに接続される制御部とを備える。前記制御部は、ゴルファーの特徴を分類する複数のゴルファー分類の中から、前記ユーザーの特徴に合致する分類であるユーザー分類の選択を受け付ける第１選択画面を作成し、前記オペレータに向けて前記ディスプレイ上に表示させる第１選択部と、ゴルフクラブの特徴を分類する複数のクラブ分類の中から、前記ユーザーに推奨されるべき前記推奨クラブの特徴を表す分類である推奨クラブ分類の選択を受け付ける第２選択画面を作成し、前記オペレータに向けて前記ディスプレイ上に表示させる第２選択部と、前記第１選択画面を介して選択された前記ユーザー分類を理由とし、前記第２選択画面を介して選択された前記推奨クラブ分類を結果として、前記ユーザー分類と前記推奨クラブ分類とを関連付ける原因結果情報を作成し、前記原因結果情報を出力する提示部とを含む。
【０００９】
第２観点に係るフィッティング補助装置は、第１観点に係るフィッティング補助装置であって、前記提示部は、前記原因結果情報として、前記ユーザー分類を理由とし、前記推奨クラブ分類を結果とするセンテンスを作成する。
【００１０】
第３観点に係るフィッティング補助装置は、第１観点又は第２観点に係るフィッティング補助装置であって、前記原因結果情報は、前記ディスプレイ又は別のディスプレイ上に出力される。
【００１１】
第４観点に係るフィッティング補助装置は、第１観点から第３観点のいずれかに係るフィッティング補助装置であって、前記複数のゴルファー分類を階層的に整理したゴルファー分類階層情報を記憶する記憶部をさらに備える。前記第１選択部は、前記ゴルファー分類階層情報を参照して、前記第１選択画面上において複数の第１分類を表示し、前記複数の第１分類の中から特定の第１分類の選択を受け付け、前記特定の第１分類が選択されると、前記特定の第１分類に属する複数の第２分類を表示し、前記複数の第２分類の中から特定の第２分類の選択を受け付ける。
【００１２】
第５観点に係るフィッティング補助装置は、第１観点から第４観点のいずれかに係るフィッティング補助装置であって、前記複数のゴルファー分類は、前記ゴルファーがショットを行うときの前記ゴルファーの挙動、ゴルフクラブの挙動及びゴルフボールの挙動、前記ゴルファーが現在使用しているゴルフクラブの属性、前記ゴルファーの練習量、並びに前記ゴルファーの好みの少なくとも１つを表す分類を含む。
【００１３】
第６観点に係るフィッティング補助装置は、第１観点から第５観点のいずれかに係るフィッティング補助装置であって、前記複数のクラブ分類は、ゴルフクラブの属性、ヘッドの属性、シャフトの属性及びグリップの属性の少なくとも１つを表す分類を含む。
【００１４】
第７観点に係るフィッティング補助装置は、第１観点から第６観点のいずれかに係るフィッティング補助装置であって、前記制御部は、前記ユーザーに対する複数の問診項目を表示するとともに、前記複数の問診項目のそれぞれに対する回答の入力を受け付ける問診画面を作成し、前記ユーザーに向けて前記ディスプレイ上に表示させる問診部をさらに備える。前記提示部は、前記問診画面を介して入力された前記複数の問診項目のそれぞれに対する前記回答をまとめて表示する問診結果画面を作成し、前記オペレータに向けて前記ディスプレイ上に表示させる。
【００１５】
第８観点に係るフィッティング補助装置は、第７観点に係るフィッティング補助装置であって、前記複数の問診項目は、前記ユーザーの年齢、性別、探しているゴルフクラブの種類、ゴルフ歴、ラウンド数、練習量、平均スコア、ベストスコア、ベストスコアの更新年、弾道に関する自己評価、現在使用しているゴルフクラブに関する悩み、及び現在使用しているゴルフクラブのモデルの少なくとも１つに関する項目を含む。
【００１６】
第９観点に係るフィッティング補助プログラムは、オペレータがユーザーに適したゴルフクラブである推奨クラブをフィッティングするのを補助するプログラムであって、ディスプレイに接続されるコンピュータに、以下のステップを実行させる。
（１）ゴルファーの特徴を分類する複数のゴルファー分類の中から、前記ユーザーの特徴に合致する分類であるユーザー分類の選択を受け付ける第１選択画面を作成し、前記第１選択画面を前記オペレータに向けて前記ディスプレイ上に表示させるステップ
（２）ゴルフクラブの特徴を分類する複数のクラブ分類の中から、前記ユーザーに推奨されるべき前記推奨クラブの特徴を表す分類である推奨クラブ分類の選択を受け付ける第２選択画面を作成し、前記第２選択画面を前記オペレータに向けて前記ディスプレイ上に表示させるステップ
（３）前記第１選択画面を介して選択された前記ユーザー分類を理由とし、前記第２選択画面を介して選択された前記推奨クラブ分類を結果として、前記ユーザー分類と前記推奨クラブ分類とを関連付ける原因結果情報を作成し、前記原因結果情報を出力するステップ
【００１７】
第１０観点に係るフィッティング方法は、オペレータがユーザーに適したゴルフクラブである推奨クラブをフィッティングするフィッティング方法であって、以下のステップを含む。
（１）第１観点から第８観点のいずれかに係るフィッティング補助装置を用意するステップ
（２）前記オペレータが、前記ディスプレイ上に表示される前記第１選択画面を介して、前記ユーザー分類を入力するステップ
（３）前記オペレータが、前記ディスプレイ上に表示される前記第２選択画面を介して、前記推奨クラブ分類を入力するステップ
（４）前記オペレータが、前記出力された原因結果情報を前記ユーザーに提示するステップ
【発明の効果】
【００１８】
本発明によれば、第１選択画面上にゴルファーの特徴を分類する複数のゴルファー分類が表示され、オペレータは、これらの中から、ユーザーの特徴に合致するユーザー分類を選択することができる。よって、オペレータは、フィッティング時に注目すべき様々な点が、第１選択画面上に複数のゴルファー分類として与えられ、これらをフィッティングを行う際の指針とすることができる。また、オペレータにより選択されたユーザー分類と、同じくオペレータにより選択されたユーザーに推奨されるべき推奨クラブの特徴を表す推奨クラブ分類とを、前者を理由とし、後者を結果として関連付ける原因結果情報が出力される。よって、これを見たユーザーは、フィッティングの結果に対する納得性を高めることができる。
【図面の簡単な説明】
【００１９】
【図１】本発明の一実施形態に係るフィッティング補助装置を含むフィッティングシステムの全体構成を示す図。
【図２】図１のフィッティングシステムの電気的構成を示すブロック図。
【図３】フィッティングの流れを示すフロチャート。
【図４】問診画面を示す図。
【図５】問診結果画面を示す図。
【図６】解析結果画面を示す図。
【図７】第１選択画面を示す図。
【図８】ゴルファー分類階層情報の構造を説明する図。
【図９】第２選択画面を示す図。
【図１０】クラブ分類階層情報の構造を説明する図。
【図１１】原因結果情報を表示する確認画面を示す図。
【図１２】フィッティング結果画面を示す図。
【発明を実施するための形態】
【００２０】
以下、図面を参照しつつ、本発明の一実施形態に係るゴルフクラブのフィッティング補助装置、フィッティング補助プログラム及びフィッティング方法について説明する。
【００２１】
＜１．フィッティングシステムの全体構成＞
図１に、本実施形態に係るゴルフクラブのフィッティング補助装置６を含むフィッティングシステム１００の全体構成を示し、図２に、その電気的構成を示す。フィッティングシステム１００は、多数のゴルフクラブの中からユーザーＧに適した１又は複数本のゴルフクラブを選択する、言い換えると、ユーザーＧに１又は複数本のゴルフクラブをフィッティングするのを補助するためのシステムである。フィッティングは、フィッターと呼ばれる専門のスタッフ（以下、オペレータという）Ｆが、ユーザーＧが１又は複数本の試打用のゴルフクラブ（以下、テストクラブと呼ぶ）４を試打する様子を観察しながら、最終的にユーザーＧに推奨されるべき、ユーザーＧに適したゴルフクラブ（以下、推奨クラブという）を決定することで実施される。
【００２２】
フィッティングシステム１００は、オペレータＦ及びユーザーＧが必要事項を入力するためのフィッティング補助装置６を含み、フィッティング補助装置６は、オペレータＦとユーザーＧとのやりとりを補助する。また、フィッティングシステム１００は、ユーザーＧがテストクラブを試打する様子を計測する計測装置２と、計測装置２により収集された計測データを解析するコンピュータ１とをさらに含む。コンピュータ１は、計測データに基づいてユーザーＧのショットを解析し、その解析結果をオペレータＦ及びユーザーＧに向けて表示する。オペレータＦは、コンピュータ１から提示されるユーザーＧのショットの解析結果を参考にしながら、フィッティングを進める。
【００２３】
以下、テストクラブ４、計測装置２、コンピュータ１及びフィッティング補助装置６の構成について説明した後、フィッティングシステム１００を用いて実施されるフィッティングの流れについて説明する。
【００２４】
＜２．各部の構成＞
＜２−１．テストクラブ＞
テストクラブ４は、一般的なゴルフクラブと同様に、シャフト４０と、シャフト４０の一端に設けられたヘッド４１と、シャフト４０の他端に設けられたグリップ４２とから構成される。テストクラブ４と総称するが、テストクラブ４としては、ドライバー、フェアウェイウッド、ハイブリッド及びアイアン等の様々なクラブ種類の、様々な番手のゴルフクラブが用意される。また、テストクラブ４としては、同じクラブ種類及び同じ番手であっても、モデルが異なり、仕様の異なる複数のゴルフクラブが用意される。
【００２５】
＜２−２．計測装置＞
計測装置２は、ゴルフ用品の販売店やゴルフスクール等の専門の場所において、ユーザーＧが試打を行う打席Ｐ１に導入されており、打席Ｐ１に立つユーザーＧのショットを計測する。計測装置２により計測された計測データは、計測装置２に接続されているコンピュータ１に送信される。
【００２６】
図２に示すように、本実施形態に係る計測装置２は、慣性センサユニット３及びカメラシステム５を含む。ただし、計測装置２の構成は、これに限られず、ユーザーＧのショットを解析するのに適した計測データを計測可能なものであれば、特に限定されない。ユーザーＧは、カメラシステム５が据え置かれている打席Ｐ１において、慣性センサユニット３が取り付けられているテストクラブ４の試打を行う。打席Ｐ１には、ショットマット５８が敷かれており、このショットマット５８上でユーザーＧは試打を行う。
【００２７】
＜２−２−１．慣性センサユニット＞
慣性センサユニット３は、図１に示す通り、テストクラブ４のグリップ４２に取り付けられており、スイング中のテストクラブ４の挙動を計測する。ただし、慣性センサユニット３は、ヘッド４１やシャフト４０等の別の箇所に取り付けることもできる。慣性センサユニット３は、ユーザーＧのスイング動作の妨げとならないよう、小型且つ軽量に構成されている。慣性センサユニット３は、テストクラブ４に対して着脱自在であってもよいし、取り外し不能に固定されていてもよい。
【００２８】
図２に示すように、慣性センサユニット３には、加速度センサ３１、角速度センサ３２及び地磁気センサ３３が搭載されている。これらのセンサ３１〜３３はそれぞれ、これらのセンサ３１〜３３の取付位置を原点とするｘｙｚ局所座標系での加速度、角速度及び地磁気のデータを検出する三軸センサである。慣性センサユニット３には、これらのセンサ３１〜３３から出力される計測データを外部のコンピュータ１に送信するための通信装置３４も搭載されている。なお、本実施形態では、通信装置３４は、スイング動作の妨げにならないように無線式であるが、ケーブルを介して有線式にコンピュータ１に接続するようにしてもよい。
【００２９】
＜２−２−２．カメラシステム＞
図１及び図２に示す通り、カメラシステム５は、複数台のカメラ５１及び５２と、複数台のストロボ５３、５３、５４及び５４とを備えており、ストロボ式の撮影を行う。カメラ５１は、インパクト前後のヘッド４１及びボール６０の様子を上方から撮影できるように、ユーザーＧの正面側において支持台５７に固定されており、アドレス時のボール６０の斜め上方に配置されている。ストロボ５３及び５３も、支持台５７に固定されており、カメラ５１の下方に配置されている。また、カメラ５２は、カメラ５１とは異なる位置からインパクト前後のヘッド４１及びボール６０の様子を撮影できるように、ユーザーＧの正面側においてアドレス時のボール６０の前方に配置されている。ストロボ５４及び５４は、カメラ５２の左右に配置されている。ゴルフボール６０には、カメラ５１及び５２により撮影された画像データからボール６０の挙動を抽出し易いように、適宜、点状、線状等の形状のマーカーが付されている。
【００３０】
また、カメラシステム５は、投光器５５Ａ及び５５Ｂと、受光器５６Ａ及び５６Ｂとを備えており、投光器５５Ａ及び受光器５６Ａが１つのタイミングセンサを構成し、投光器５５Ｂ及び受光器５６Ｂがもう１つのタイミングセンサを構成している。これらのタイミングセンサにより生成されるタイミング信号は、ストロボ５３、５３、５４及び５４の発光及びそれに続くカメラ５１及び５２の撮影のタイミングを決定するのに使用される。
【００３１】
さらに、カメラシステム５は、以上の装置５１〜５６Ｂの動作を制御するための制御装置５０も備えている。制御装置５０は、ＣＰＵ、ＲＯＭ及びＲＡＭ等を有しており、以上の装置５１〜５６Ｂの他、コンピュータ１の通信部１５にも接続されている。
【００３２】
投光器５５Ａ及び５５Ｂは、ユーザーＧの正面側の地面付近において、カメラ５１の下方に配置されている。一方、受光器５６Ａ及び５６Ｂは、打席Ｐ１に立つユーザーＧの足のつま先付近に配置されている。投光器５５Ａ及び受光器５６Ａは、ユーザーＧの背から腹に向かう方向に概ね平行な直線上に配置されており、互いに対向している。投光器５５Ｂ及び受光器５６Ｂについても同様である。投光器５５Ａ及び５５Ｂは、ゴルフスイング中、常時、それぞれ受光器５６Ａ及び５６Ｂに向けて光を照射しており、受光器５６Ａ及び５６Ｂがこれを受光する。しかし、テストクラブ４が投光器５５Ａ及び５５Ｂと受光器５６Ａ及び５６Ｂとの間を通過するタイミングでは、投光器５５Ａ及び５５Ｂからの光がテストクラブ４により遮られるため、受光器５６Ａ及び５６Ｂはこれを受光することができない。受光器５６Ａ及び５６Ｂはこのタイミングを検出し、これを受けてタイミング信号を生成する。制御装置５０は、タイミング信号が生成された時刻を基準として、一定の時間、ストロボ５３、５３、５４及び５４に発光を命令するとともに、カメラ５１及び５２に撮影を命令する。カメラ５１及び５２により撮影された画像データは、計測データとして制御装置５０に送信され、制御装置５０からさらにコンピュータ１に送信される。
【００３３】
＜２−３．コンピュータ＞
コンピュータ１は、その名のとおり、ハードウェアとしては汎用のコンピュータであり、例えば、デスクトップ型コンピュータ、ノート型コンピュータ、タブレットコンピュータ、スマートフォンとして実現される。図２に示す通り、コンピュータ１には、プログラム１３ａがインストールされている。プログラム１３ａは、コンピュータ１が読み取り可能なＣＤ−ＲＯＭ等の記録媒体から、或いはコンピュータ１が接続されるＬＡＮやインターネット等の通信ネットワーク上の端末から取得される。プログラム１３ａは、コンピュータ１に後述する動作を実行させる。
【００３４】
コンピュータ１は、ディスプレイ１１、入力部１２、記憶部１３、制御部１４及び通信部１５を備える。これらの部１１〜１５は、互いにバス線等の通信線１６を介して接続されており、相互に通信可能である。ディスプレイ１１は、コンピュータ１の本体（制御部１４等を収容する筐体）に一体的に組み込まれていても、外付けであってもよい。
【００３５】
記憶部１３は、ハードディスクやフラッシュメモリ等の不揮発性の記憶装置から構成することができる。記憶部１３内には、プログラム１３ａが格納されている他、計測装置２から送信されてくる計測データが保存される。制御部１４は、ＣＰＵ、ＲＯＭ及びＲＡＭ等から構成することができる。制御部１４は、記憶部１３内のプログラム１３ａを読み出して実行することにより、記憶部１３内の計測データに基づいてユーザーＧのショットを解析する。通信部１５は、ＬＡＮやインターネット等の通信ネットワークとの接続を確立する通信インターフェースとして機能し、この通信ネットワークを介して、計測装置２やフィッティング補助装置６等の外部のデバイスとの間でのデータの送受信を可能にする。入力部１２は、マウス、キーボード、タッチパネル等で構成することができ、コンピュータ１に対する主としてオペレータＦからの操作を受け付ける。ディスプレイ１１は、液晶ディスプレイ等で構成することができ、制御部１４によるショットの解析結果及びフィッティングの結果等をオペレータＦ及びユーザーＧに対し表示する。
【００３６】
＜２−４．フィッティング補助装置＞
フィッティング補助装置６は、ハードウェアとしては汎用のコンピュータであり、例えば、タブレットコンピュータ、スマートフォン、ノート型コンピュータ、デスクトップ型コンピュータとして実現される。図２に示す通り、フィッティング補助装置６には、プログラム６３ａがインストールされている。プログラム６３ａは、フィッティング補助装置６が読み取り可能なＣＤ−ＲＯＭ等の記録媒体から、或いはフィッティング補助装置６が接続されるＬＡＮやインターネット等の通信ネットワーク上の端末から取得される。プログラム６３ａは、フィッティング補助装置６に後述する動作を実行させる。
【００３７】
フィッティング補助装置６は、ディスプレイ６１、入力部６２、記憶部６３、制御部６４及び通信部６５を備える。これらの部６１〜６５は、互いにバス線等の通信線６６を介して接続されており、相互に通信可能である。ディスプレイ６１は、フィッティング補助装置６の本体（制御部６４等を収容する筐体）に一体的に組み込まれていても、外付けであってもよい。
【００３８】
記憶部６３は、フラッシュメモリやハードディスク等の不揮発性の記憶装置から構成することができる。記憶部６３内には、プログラム６３ａが格納されている他、後述されるゴルファー分類階層情報６３ｂ及びクラブ分類階層情報６３ｃが格納されており、さらにオペレータＦ及びユーザーＧにより入力される各種データが保存される。制御部６４は、ＣＰＵ、ＲＯＭ及びＲＡＭ等から構成することができる。制御部６４は、記憶部６３内のプログラム６３ａを読み出して実行することにより、仮想的に問診部６４ａ、第１選択部６４ｂ、第２選択部６４ｃ及び提示部６４ｄとして動作する。これらの部６４ａ〜６４ｄの動作の詳細は、後述する。通信部６５は、ＬＡＮやインターネット等の通信ネットワークとの接続を確立する通信インターフェースとして機能し、この通信ネットワークを介して、コンピュータ１等の外部のデバイスとの間でのデータの送受信を可能にする。入力部６２は、タッチパネル、キーボード、マウス等で構成することができ、フィッティング補助装置６に対するオペレータＦ及びユーザーＧからの操作を受け付ける。ディスプレイ６１は、液晶ディスプレイ等で構成することができ、後述する画面等をオペレータＦ及びユーザーＧに対し表示する。
【００３９】
＜３．フィッティングの流れ＞
以下、図３を参照しつつ、フィッティングシステム１００を用いて実施されるフィッティングの流れについて説明する。
【００４０】
まず、ユーザーＧの問診が行われる（ステップＳ１）。オペレータＦは、問診に使用するフィッティング補助装置６を用意し、フィッティング補助装置６上でプログラム６３ａを起動する。オペレータＦは、図４に示すようなユーザーＧ向けの問診画面Ｗ１をディスプレイ６１上に表示させ、ユーザーＧにフィッティング補助装置６を手渡す。問診画面Ｗ１は、入力部６２を介しての所定の操作を受けて、問診部６４ａにより作成され、ディスプレイ６１上に表示される。
【００４１】
問診画面Ｗ１は、ユーザーＧに対する複数の問診項目を表示するとともに、複数の問診項目のそれぞれに対する回答の入力を受け付ける画面である。これに限定されないが、ここでいう問診項目には、ユーザーＧの年齢、性別、探しているゴルフクラブの種類、ゴルフ歴、（例えば１年あたりの）ラウンド数、（例えば１月あたりの）練習量、平均スコア、ベストスコア、ベストスコアの更新年、弾道に関する自己評価、現在使用しているゴルフクラブに関する悩み、及び現在使用しているゴルフクラブのモデルの少なくとも１つに関する項目が含まれる。図４に示すように、問診項目に対する回答は、選択形式で入力することができる。例えば、同図の通り、問診項目である「年齢」に対しては、問診画面Ｗ１上に回答の選択肢である「１０代以下」「２０代」「３０代」・・・「７０代」「８０代以上」にそれぞれ対応するオブジェクトが表示される。そして、ユーザーＧがこれらのオブジェクトをクリック等の態様により選択すると、選択されたオブジェクトに対する回答が選択される。問診項目に応じて、択一的な選択が要求される場合と、複数選択が可能な場合とがある。また、少なくとも一部の問診項目に対する回答は、自由記述形式で入力可能であってもよい。
【００４２】
ユーザーＧによる全ての問診項目に対する回答の入力が終了すると、提示部６４ｄは、図５に示すような問診結果画面Ｗ２を作成し、これをユーザーＧに向けてディスプレイ６１上に表示させる。問診結果画面Ｗ２は、問診画面Ｗ１を介して入力された複数の問診項目のそれぞれに対する回答をまとめて表示する画面であり、ユーザーＧはこれを見て、自身の入力内容を確認する。ユーザーＧは、入力内容に誤りがあれば、適宜修正した後、オペレータＦにフィッティング補助装置６を手渡す。オペレータＦは、問診結果画面Ｗ２を見て、同画面Ｗ２に一覧表示されているユーザーＧに関する基本情報を把握し、フィッティングの参考にする。よって、問診結果画面Ｗ２は、オペレータＦ向けの画面でもある。
【００４３】
問診が終了すると、オペレータＦは、以上のユーザーＧに関する基本情報を参考にしながら、ユーザーＧに試打させるテストクラブ４を選択する（ステップＳ２）。ユーザーＧは、オペレータＦにより選択されたテストクラブ４を打席Ｐ１において試打し、オペレータＦは、このときのショットの様子を観察する（ステップＳ３）。ユーザーＧによるショットは、１本のテストクラブ４に対し１又は複数回実施される。
【００４４】
オペレータＦが自身の眼でショットの様子を観察する（ステップＳ３）のと並行して、計測装置２は、ユーザーＧの各ショットを計測した計測データを収集する（ステップＳ４）。より具体的には、テストクラブ４がスイングされ、ボール６０が打撃されると、このショット時の少なくともアドレスからインパクトまでのグリップ４２の加速度、角速度及び地磁気の計測データが、慣性センサユニット３により計測される。これらの計測データは、慣性センサユニット３からコンピュータ１に送信され、記憶部１３内に格納される。また、慣性センサユニット３による計測と並行して、カメラシステム５が、このショット時のインパクト前後のヘッド４１及びボール６０の近傍の様子を写す画像データを撮影する。これらの画像データも計測データとして、制御装置５０を介してコンピュータ１に送信され、記憶部１３内に格納される。
【００４５】
また、コンピュータ１の制御部１４は、新たに１ショット分の計測データが記憶部１３内に格納される度に、当該計測データを解析する（ステップＳ５）。より具体的には、制御部１４は、記憶部１３内の計測データを解析することにより、ショットの解析結果として、様々なショット特性値を算出する。本実施形態では、ショット特性値として、インパクト直前のヘッドスピード、インパクト直後のボールスピード、ミート率（ヘッドスピードに対するボールスピードの割合）、上下打ち出し角、バックスピン量、左右打ち出し角（左右振れ角ともいう）、サイドスピン量、左右方向の飛距離（左右ブレともいう）、キャリーのみの飛距離、キャリー及びランの合計の飛距離、フェースの開き量、ヘッド４１の軌道角、及びフェース面上における打点（左右の打点）が算出される。また、ショットの解析結果として、ボール６０の軌道も算出される。ただし、これらは例示であり、ここで挙げたショットの解析項目の全てが算出される必要はないし、他の解析項目が算出されてもよい。なお、上記のような計測データに基づく上記のようなショットの解析項目の算出方法としては、様々知られているため、ここでは詳細な説明を省略する。
【００４６】
以上のショットの解析結果は、図６に示すように、解析結果画面Ｗ３上に表示される。解析結果画面Ｗ３は、ディスプレイ１１上に表示される。より具体的には、解析結果画面Ｗ３上には、ショット特性値を一覧表示するためのテーブルＴ１が配置されている。そして、１ショット分のショット特性値が新たに算出される度に、このテーブルＴ１にそれらのショット特性値が入力される。さらに、テーブルＴ１の下には、同じショットに対応するボール６０の軌道を表すグラフィックＴ２が表示される。テーブルＴ１及びグラフィックＴ２は、テストクラブ４毎に表示される。テーブルＴ１内では、同じテストクラブ４での１打目のショット特性値のセットが１行目に、２打目のショット特性値のセットが２行目に表示され、３打目以降も同様である。また、グラフィックＴ２においても、同じテストクラブ４でのショットの数だけ、ボール６０の軌道が表示される。テーブルＴ１の最下段の行には、同じテストクラブ４に対する複数回のショットでのショット特性値の平均値が表示される。ショット特性値の平均値は、新たなショット特性値のセットが算出される度に、制御部１４により算出される。
【００４７】
オペレータＦは、解析結果画面Ｗ３上に表示されるユーザーＧのショット特性値を参考にしつつ、ユーザーＧのショットを自身の目で観察しながら、ユーザーＧの特徴（主として、ユーザーＧのショットに関する特徴）を判断し、これをフィッティング補助装置６に入力する（ステップＳ６）。このとき、オペレータＦは、入力部６２を介して所定の操作を行うことにより、図７に示すようなオペレータＦ向けの第１選択画面Ｗ４をディスプレイ６１上に表示させる。第１選択画面Ｗ４は、オペレータＦによる所定の操作を受けて、第１選択部６４ｂにより作成され、ディスプレイ６１上に表示される。
【００４８】
第１選択画面Ｗ４は、ゴルファーの特徴を分類する複数のゴルファー分類を表示するとともに、これらの複数のゴルファー分類の中から、ユーザーＧの特徴に合致する分類であるユーザー分類の選択を受け付ける画面である。これに限定されないが、ここでいうゴルファー分類には、ゴルファーがショットを行うときのゴルファーの挙動、ゴルフクラブの挙動及びゴルフボールの挙動、ゴルファーが現在使用しているゴルフクラブの属性、ゴルファーの練習量、並びにゴルファーの好みの少なくとも１つを表す分類を含む。ユーザー分類は、オペレータＦがユーザーに推奨クラブを選択する理由として入力される。
【００４９】
第１選択画面Ｗ４上では、ユーザー分類は、選択形式で入力することができ、選択肢となる複数のゴルファー分類は、階層的に表示される。ゴルファー分類は、記憶部６３内にゴルファー分類階層情報６３ｂとして階層的に整理されており、第１選択部６４ｂは、これを参照することにより、第１選択画面Ｗ４を作成する。図８は、ゴルファー分類階層情報６３ｂの構造を説明する図である。同図に示すように、本実施形態では、ゴルファー分類は、３階層に整理されている。そして、第１階層に対応する第１分類と、第２階層に対応する第２分類と、第３階層に対応する第３分類とを組み合わせることにより、１つのゴルファー分類が特定される。
【００５０】
これに限定されないが、ゴルファー分類階層情報６３ｂの第１分類には、図７及び図８に示されるように、「アドレス」「トップ」「ダウンスイング」「インパクト」「スイング傾向」「ヘッド速度」「弾道傾向」「ミス傾向」「クラブ」「ゴルフ傾向」の１０個の項目がある。第１分類の各項目には、第２分類に属する複数の項目がツリー状に関連付けられており、さらに第２分類に属する各項目には、第３分類に属する複数の項目がツリー状に関連付けられている。図７に示されるように、例えば、第１分類に属する「ダウンスイング」の項目には、「スイング軌道」「フェース角」「ローテーション」「ブロー角」「コックのため」「コック角」「スイングテンポ」「スイングタイプ」の８つの項目が関連付けられており、このうち、「ローテーション」の項目には、「多い」「少ない」の２つの項目が関連付けられている。
【００５１】
ユーザー分類の入力時、第１選択部６４ｂは、以上のようなゴルファー分類階層情報６３ｂを参照して、第１選択画面Ｗ４上において複数の第１分類を表示し、複数の第１分類の中から特定の第１分類の選択を受け付ける。そして、オペレータＦにより特定の第１分類が選択されると、第１選択画面Ｗ４上においてその特定の第１分類に属する複数の第２分類を表示し、複数の第２分類の中から特定の第２分類の選択を受け付ける。さらに、オペレータＦにより特定の第２分類が選択されると、第１選択画面Ｗ４上においてその特定の第２分類に属する複数の第３分類を表示し、複数の第３分類の中から特定の第３分類の選択を受け付ける。図７では、オペレータＦが、第１分類として「ダウンスイング」を、第２分類として「ローテーション」を、第３分類として「多い」を選択したときの例が示されている。そして、このような選択により、「ダウンスイング時のローテーションが多い」というユーザーＧの特徴を表すユーザー分類が入力される。なお、ユーザー分類は、ユーザーＧがフィッティングの対象としているドライバー、フェアウェイウッド、ハイブリッド及びアイアン等の様々なクラブ種類ごとに入力される。また、オペレータＦは、第１選択画面Ｗ４を介して、１つのクラブ種類に対し、１又は複数のユーザー分類を入力することができる。１つのクラブ種類に対する入力可能なユーザー分類の数は、例えば、１つだけ、２つまで、３つまでと予め定められていてもよいし、数の制限は特になくてもよい。
【００５２】
オペレータＦは、ユーザー分類を入力する一方で、ユーザーＧに適したゴルフクラブの特徴を判断し、これをフィッティング補助装置６に入力する（ステップＳ７）。このとき、オペレータＦは、入力部６２を介して所定の操作を行うことにより、図９に示すようなオペレータＦ向けの第２選択画面Ｗ５をディスプレイ６１上に表示させる。第２選択画面Ｗ５は、オペレータＦによる所定の操作を受けて、第２選択部６４ｃにより作成され、ディスプレイ６１上に表示される。
【００５３】
第２選択画面Ｗ５は、ゴルフクラブの特徴を分類する複数のクラブ分類を表示するとともに、これらの複数のクラブ分類の中から、ユーザーＧに推奨されるべき推奨クラブの特徴を表す分類である推奨クラブ分類の選択を受け付ける画面である。これに限定されないが、ここでいうクラブ分類には、ゴルフクラブの属性、ヘッドの属性、シャフトの属性及びグリップの属性の少なくとも１つを表す分類を含む。
【００５４】
第２選択画面Ｗ５上では、推奨クラブ分類は、選択形式で入力することができ、選択肢となる複数のクラブ分類は、階層的に表示される。クラブ分類は、記憶部６３内にクラブ分類階層情報６３ｃとして階層的に整理されており、第２選択部６４ｃは、これを参照することにより、第２選択画面Ｗ５を作成する。図１０は、クラブ分類階層情報６３ｃの構造を説明する図である。同図に示すように、本実施形態では、クラブ分類は、３階層に整理されている。そして、第１階層に対応する第１分類と、第２階層に対応する第２分類と、第３階層に対応する第３分類とを組み合わせることにより、１つのクラブ分類が特定される。
【００５５】
これに限定されないが、クラブ分類階層情報６３ｃの第１分類には、図９及び図１０に示されるように、「モデル」「ヘッド」「シャフト」「グリップ」「クラブ」「調整仕様」の６つの項目がある。第１分類の各項目には、第２分類に属する複数の項目がツリー状に関連付けられており、さらに第２分類に属する各項目には、第３分類に属する複数の項目がツリー状に関連付けられている。図９に示されるように、例えば、第１分類に属する「クラブ」の項目には、「重量」「バランス」「慣性モーメント」の３つの項目が関連付けられており、このうち、「バランス」の項目には、「Ｂ６」・・・「Ｂ９」「Ｃ１」「Ｃ２」・・・等の多数の項目が関連付けられている。
【００５６】
推奨クラブ分類の入力時、第２選択部６４ｃは、以上のようなクラブ分類階層情報６３ｃを参照して、第２選択画面Ｗ５上において複数の第１分類を表示し、複数の第１分類の中から特定の第１分類の選択を受け付ける。そして、オペレータＦにより特定の第１分類が選択されると、第２選択画面Ｗ５上においてその特定の第１分類に属する複数の第２分類を表示し、複数の第２分類の中から特定の第２分類の選択を受け付ける。さらに、オペレータＦにより特定の第２分類が選択されると、第２選択画面Ｗ５上においてその特定の第２分類に属する複数の第３分類を表示し、複数の第３分類の中から特定の第３分類の選択を受け付ける。図９では、オペレータＦが、第１分類として「クラブ」を、第２分類として「バランス」を、第３分類として「Ｂ６」を選択したときの例が示されている。そして、このような選択により、「ゴルフクラブのバランスがＢ６」という、ユーザーＧに推奨されるべきゴルフクラブの特徴を表す推奨クラブ分類が入力される。なお、推奨クラブ分類は、ユーザーＧがフィッティングの対象としているドライバー、フェアウェイウッド、ハイブリッド及びアイアン等の様々なクラブ種類ごとに入力される。また、図１０に示されているクラブ分類階層情報６３ｃは、ドライバー用の情報であり、実際には、クラブ分類階層情報６３ｃは、クラブ種類ごとに用意される。また、オペレータＦは、第２選択画面Ｗ５を介して、１つのクラブ種類に対し、１又は複数の推奨クラブ分類を入力することができる。１つのクラブ種類に対する入力可能な推奨クラブ分類の数は、例えば、１つだけ、２つまで、３つまでと予め定められていてもよいし、数の制限は特になくてもよい。
【００５７】
なお、ユーザーＧによる試打は、オペレータＦが選択した１又は複数本のテストクラブ４に対し実施され、さらに１本のテストクラブ４は複数回試打され得る。よって、ステップＳ２〜Ｓ７は、実際には、図３に示される順序で実行されるとは限らない。例えば、ステップＳ６及びステップＳ７は、一部のテストクラブ４が選択され（ステップＳ２）、これらのテストクラブ４の試打に対するステップＳ３〜Ｓ４が実行された後にはじめて実行されてもよいし、オペレータＦにより選択された全てのテストクラブ４に対する試打が終了した後に入力されてもよい。
【００５８】
全ての試打が終了し、推奨クラブ分類が入力されると、提示部６４ｄが、原因結果情報を作成する（ステップＳ８）。原因結果情報とは、第１選択画面Ｗ４を介して選択されたユーザー分類を理由とし、第２選択画面Ｗ５を介して選択された推奨クラブ分類を結果として、これらの分類を関連付ける情報である。本実施形態では、原因結果情報として、ユーザー分類を理由とし、推奨クラブ分類を結果とする意味を有するセンテンスが自動作成される。例えば、ドライバーに関し、ユーザー分類として、「ダウンスイング中のローテーションが多い」「ヘッド速度が５０ｍ／ｓ以上」という情報が入力され、推奨クラブ分類として、「シャフト重量が７０ｇ台」「ヘッドが重め」という情報が入力されていた場合には、「ダウンスイング中のローテーション量が多く、ヘッド速度が５０ｍ／ｓ以上ですので、シャフトの重量が７０ｇ台、ヘッドが重めのドライバーをお勧めします。」というセンテンスが自動作成される。センテンスは、テーブル形式のゴルファー分類階層情報６３ｂ及びクラブ分類階層情報６３ｃに含まれる「説明文」「連結句」の列の内容に基づいて作成される。すなわち、これらの階層情報６３ｂ及び６３ｃ中、ゴルファー分類及びクラブ分類の各分類には、当該分類の意味を示す説明文と、当該分類を原因又は結果としてセンテンスを完成させるために必要な、説明文の間をつなぐ連結句とが対応付けられている。提示部６４ｄは、これらの列を参照し、選択されたユーザー分類と推奨クラブ分類とを結びつけるセンテンスを作成する。
【００５９】
続いて、提示部６４ｄは、以上の原因結果情報を表示する確認画面Ｗ６（図１１参照）を作成し、ディスプレイ６１上に表示させる（ステップＳ９）。確認画面Ｗ６は、主としてオペレータＦに向けて作成され、オペレータＦが入力した内容に基づく原因結果情報を確認するための画面である。オペレータＦは、入力内容に誤りがあれば、適宜修正した後、「完了」ボタン（図１１参照）押す等して原因結果情報を承認すると、原因結果情報がコンピュータ１に送信される。これを受けて、コンピュータ１側では、制御部１４が、原因結果情報を含む各種情報をフィッティングの結果としてまとめたフィッティング結果画面Ｗ７（図１２参照）を作成し、これをディスプレイ１１上に表示させる（ステップＳ１０）。フィッティング結果画面Ｗ７は、ショットの解析結果も勘案して作成することができる。
【００６０】
例えば、フィッティング結果画面Ｗ７には、原因結果情報の他、フィッティングの結果として、推奨クラブ分類に合致する推奨クラブ及び／又はその部品（以下、推奨クラブ／部品ということがある）を特定する情報（モデルや型番等）が表示される。具体的には、記憶部１３内には、様々なラインナップのゴルフクラブ及び／又はその部品を特定する情報が、それぞれの属性情報に関連付けて記憶されている。そして、制御部１４は、記憶部１３内のこの情報に推奨クラブ分類を照合することにより、推奨クラブ／部品を特定する。
【００６１】
オペレータＦは、ディスプレイ１１上に表示されるフィッティング結果画面Ｗ７をユーザーＧに提示し、ともに確認しながら、フィッティングの結果について話をする。これにより、一連のフィッティングに関する処理は終了する。
【００６２】
以上のフィッティング方法によれば、第１選択画面Ｗ４上にゴルファーの特徴を分類する複数のゴルファー分類が表示される。オペレータＦは、これらの中から、推奨クラブを選択する理由として、ユーザーＧの特徴に合致するユーザー分類を選択する。このとき、第１選択画面Ｗ４上に表示される複数のゴルファー分類は、フィッティング時に注目すべき点をオペレータＦに教示する。よって、オペレータＦは、これらの分類をフィッティングを行う際の指針とすることができる。また、オペレータＦにより選択されたユーザー分類と推奨クラブ分類とを、前者を理由とし、後者を結果として関連付ける原因結果情報が出力される。よって、これを見たユーザーＧは、フィッティングの結果に対する納得性を高めることができる。
【００６３】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００６４】
＜４−１＞
上記実施形態では、原因結果情報が、フィッティング補助装置６のディスプレイ６１上において、オペレータＦ向けの確認画面Ｗ６上に表示された。しかしながら、同ディスプレイ６１上に、ユーザーＧ向けの原因結果情報が表示されてもよい。例えば、上記のフィッティング結果画面Ｗ７が提示部６４ｄにより作成され、コンピュータ１のディスプレイ１１に代えて又は加えて、フィッティング補助装置６のディスプレイ６１上に表示されてもよい。
【００６５】
＜４−２＞
上記実施形態では、計測装置２で計測され、コンピュータ１で解析されたユーザーＧのショット特性値を参考にして、フィッティングが行われた。しかしながら、計測装置２及びコンピュータ１を省略し、オペレータＦがフィッティング補助装置６を使用しつつ、自身が観察した内容のみからフィッティングを行ってもよい。この場合、変形例４−１のように、原因結果情報を含むフィッティング結果画面Ｗ７をフィッティング補助装置６のディスプレイ６１上に表示させ、これをユーザーＧとともに確認すればよい。
【符号の説明】
【００６６】
１００  フィッティングシステム
１  コンピュータ
１１  ディスプレイ
２  計測装置
４  テストクラブ（ゴルフクラブ）
６  フィッティング補助装置
６１  ディスプレイ
６３ａ  プログラム（フィッティング補助プログラム）
６３ｂ  ゴルファー分類階層情報
６３ｃ  クラブ分類階層情報
６４  制御部
６４ａ  問診部
６４ｂ  第１選択部
６４ｃ  第２選択部
６４ｄ  提示部
７  スキャナ（読取り装置）
Ｇ  ユーザー(ゴルファー)
Ｆ  オペレータ
Ｗ１  問診画面
Ｗ２  問診結果画面
Ｗ３  解析結果画面
Ｗ４  第１選択画面
Ｗ５  第２選択画面
Ｗ６  確認画面（原因結果情報を含む）
Ｗ７  フィッティング結果画面
【図１】
2020065800.tif 000003
【図２】
2020065800.tif 000004
【図３】
2020065800.tif 000005
【図４】
2020065800.tif 000006
【図５】
2020065800.tif 000007
【図６】
2020065800.tif 000008
【図７】
2020065800.tif 000009
【図８】
2020065800.tif 000010
【図９】
2020065800.tif 000011
【図１０】
2020065800.tif 000012
【図１１】
2020065800.tif 000013
【図１２】
2020065800.tif 000014